(57)【要約】【課題】電子メールを取得した際に、電子メールに含まれる情報をユーザが視認し易く、且つ表示される情報に偏りが少ない方法で自動表示する表示装置を提供する。【解決手段】本発明の表示装置は、液晶パネル等を含む表示部と、インターネット等の広域通信網に接続可能な通信部と、通信部を用いて通信網に存在するメールサーバから電子メールを受信するメール受信部とを備えている。また、受信メールに添付されている添付画像を、ユーザ操作を必要とすることなく表示部に表示する画像表示部を備えている。また、メール受信部により電子メールが受信された時点で、受信メールに添付されている画像が複数存在するか否かを判定するメール解析部を備えている。さらに、メール解析部により添付画像が複数存在すると判定された場合に、複数の添付画像を所定の間隔で切り替えながら表示するように画像表示部に対して指示する表示制御部を備えている。【選択図】図１
2010061246.tif 000002
【特許請求の範囲】
【請求項１】
画像の表示を行う表示部と、
通信網に接続して通信を行う通信部と、
前記通信部を用いて通信網より電子メールを受信するメール受信部と、を備えた表示装置において、
前記メール受信部により受信された電子メールに添付されている一または複数の添付画像を前記表示部に表示する画像表示部と、
前記添付画像が複数存在する場合に、複数の前記添付画像を予め定められた時間間隔で切り替えつつ表示するように前記画像表示部に対して指示する表示制御部と、を備えたことを特徴とする表示装置。
【請求項２】
前記メール受信部により電子メールが受信された際に、前記添付画像が複数存在するか否かを判定するメール解析部を備え、
前記表示制御部が、前記メール解析部により前記添付画像が複数存在すると判定された際に、前記添付画像を予め定められた時間間隔で切り替えつつ表示するように前記画像表示部に対して指示することを特徴とする請求項１に記載の表示装置。
【請求項３】
前記メール受信部により電子メールが受信された際に、前記添付画像が複数存在するか否かを判定するメール解析部と、
前記表示装置に対する操作を受け付ける操作部と、を備え、
前記表示制御部が、前記メール解析部により前記添付画像が複数存在すると判定され、且つ前記判定後に前記操作部による操作を検知した際に、前記添付画像を予め定められた時間間隔で切り替えつつ表示するように前記画像表示部に対して指示することを特徴とする請求項１に記載の表示装置。
【請求項４】
前記画像表示部が、前記添付画像の表示を行う際に、前記メール受信部により受信した電子メールに含まれる文字情報を示す文字画像と前記添付画像とを重ねあわせて前記表示部に表示することを特徴とする請求項１〜請求項３のいずれかに記載の表示装置。
【請求項５】
前記画像表示部が、前記添付画像の表示を行う際に、前記メール受信部により受信した電子メールに関する情報を示す文字画像と前記添付画像とを重ねあわせて前記表示部に表示することを特徴とする請求項１〜請求項３のいずれかに記載の表示装置。
【請求項６】
記録部と、
前記添付画像の表示を行う電子メールの条件を受け付けて前記記録部に記録する条件登録部と、を備え、
前記表示制御部が、前記メール受信部により受信した電子メールが前記記録部に記録されている前記条件を満たすか否かを判定し、満たす場合に、前記電子メールに添付されている添付画像を表示するように前記画像表示部に対して指示することを特徴とする請求項１〜請求項５のいずれかに記載の表示装置。
【請求項７】
前記条件登録部が、メールアドレスを前記条件として受け付けて前記記録部に記録し、
前記表示制御部が、前記メール受信部により受信した電子メールのヘッダに含まれる送信元アドレスと、前記条件登録部が受け付けて前記記録部に記録したメールアドレスとが一致するか否かを判定し、一致する場合に、前記電子メールに添付されている添付画像を表示するように前記画像表示部に対して指示することを特徴とする請求項６に記載の表示装置。
【請求項８】
前記表示装置に対する照度を測定する照度センサを備え、
前記表示制御部が、前記照度センサにより取得された照度が予め定められた値を下回るか否かを判定し、下回る場合に、前記画像表示部に対して前記添付画像の表示を禁止することを特徴とする請求項１〜請求項７のいずれかに記載の表示装置。
【請求項９】
時刻を計時する計時部を備え、
前記表示制御部が、前記計時部により取得された時刻が予め定められた条件を満たすか否かを判定し、満たす場合に、前記画像表示部に対して前記添付画像の表示を禁止することを特徴とする請求項１〜請求項７のいずれかに記載の表示装置。
【発明の詳細な説明】
【技術分野】
【０００１】
本発明は、デジタル画像データを表示する電子式写真立て（以下、「電子式フォトフレーム」という）として利用される表示装置に関するものであり、特に通信網に接続されて通信可能な表示装置に関する。
【背景技術】
【０００２】
近年、液晶パネル等を用いた薄型の表示装置が広く普及している。薄型表示装置は、軽量且つ設置スペースが小さいため、その設置場所や設置角度をユーザが適宜変更できるという利点を持っている。
【０００３】
上記のような薄型表示装置の一つとして、電子式フォトフレームが実用化されている。電子式フォトフレームは、デジタルカメラ等の撮影装置で撮像した画像を、従来の銀塩写真のように気軽に鑑賞できることを目的とした表示装置である。電子式フォトフレームは、例えばＳＤ（Secure Digital）メモリカードのような外部記録媒体や、ＬＡＮ（Local Area Network）等のネットワークを経由して画像データを取り込み、表示することが可能である。
【０００４】
上記に関連して特許文献１においては、画像情報と文字情報とを同時に、しかもユーザが見易い状態で表現することを可能とした通信端末が開示されている。この通信端末は、通信網を介して取得したコンテンツに含まれる画像情報と文字情報とを、ユーザ操作を必要とすることなく、表示画面に同時表示する。またこの際、文字情報を表示画面の任意の表示領域に、自動的にスクロールさせながら表示する。
【特許文献１】特開２００２−２５９０１５号公報
【発明の開示】
【発明が解決しようとする課題】
【０００５】
しかしながら特許文献１においては、コンテンツに含まれる画像情報と文字情報とが一対一の関係にあることが前提とされている。しかしコンテンツの種別によっては、画像情報と文字情報が一対一ではなく一対多、または多対多の関係になることがある。例えば電子メールの場合、一つの本文（＝文字情報）に対して、複数の添付画像ファイル（＝画像情報）が添付されている場合がある。また電子メールに含まれる文字情報は本文だけではなく、例えばヘッダ情報等も文字情報として含まれている。これらの文字情報も表示しようとすれば、表示する情報の関係は多対多となる。
【０００６】
このような多対多の関係となる情報の表示は、表示方法によっては表示画面が煩雑となって視認性が低下したり、表示される情報に偏りが生じたりするといった問題がある。しかしながら特許文献１においては、この問題を解決する手段については開示も示唆もなされていない。
【０００７】
本発明は、上記の問題を鑑みてなされたものであり、電子メールのように複数の文字情報と複数の画像情報とが含まれるコンテンツを取得した際に、コンテンツに含まれる情報をユーザが視認し易く、且つ表示される情報に偏りが少ない表示装置を提供することにある。
【課題を解決するための手段】
【０００８】
上記目的を達成するために本発明の表示装置は、画像の表示を行う表示部と、通信網に接続して通信を行う通信部と、前記通信部を用いて通信網より電子メールを受信するメール受信部とを備えた表示装置において、前記メール受信部により受信された電子メールに添付されている一または複数の添付画像を前記表示部に表示する画像表示部と、前記添付画像が複数存在する場合に、複数の前記添付画像を予め定められた時間間隔で切り替えつつ表示するように前記画像表示部に対して指示する表示制御部とを備えたことを特徴としている。
【０００９】
この構成によると、本発明の表示装置は、液晶パネル等を含む表示部と、インターネット等の広域通信網に接続可能な通信部と、通信部を用いて通信網に存在するメールサーバから電子メールを受信するメール受信部とを備えている。また、受信メールに添付されている添付画像を、ユーザ操作を必要とすることなく表示部に表示する画像表示部を備えている。さらに、受信メールの添付画像が複数存在する場合に、複数の添付画像を所定の間隔で切り替えながら表示するように画像表示部に対して指示する表示制御部を備えている。
【００１０】
また上記目的を達成するために本発明の表示装置は、前記メール受信部により電子メールが受信された際に、前記添付画像が複数存在するか否かを判定するメール解析部を備え、前記表示制御部が、前記メール解析部により前記添付画像が複数存在すると判定された際に、前記添付画像を予め定められた時間間隔で切り替えつつ表示するように前記画像表示部に対して指示することを特徴としている。
【００１１】
この構成によると、本発明の表示装置は、メール受信部により電子メールが受信された時点で、受信メールに添付されている画像が複数存在するか否かを判定するメール解析部を備えている。メール解析部により添付画像が複数存在すると判定されると、表示制御部は、複数の添付画像を所定の間隔で切り替えながら表示するよう、画像表示部に対して指示する。
【００１２】
また上記目的を達成するために本発明の表示装置は、前記メール受信部により電子メールが受信された際に、前記添付画像が複数存在するか否かを判定するメール解析部と、前記表示装置に対する操作を受け付ける操作部とを備え、前記表示制御部が、前記メール解析部により前記添付画像が複数存在すると判定され、且つ前記判定後に前記操作部による操作を検知した際に、前記添付画像を予め定められた時間間隔で切り替えつつ表示するように前記画像表示部に対して指示することを特徴としている。
【００１３】
この構成によると、本発明の表示装置は、上述のメール解析部と、ユーザ操作を受け付けるための操作部を備えている。メール解析部により添付画像が複数存在すると判定され、且つ上記判定が行われた後に操作部による操作を検知した時点で、表示制御部は、複数の添付画像を所定の間隔で切り替えながら表示するよう、画像表示部に対して指示する。
【００１４】
また上記目的を達成するために本発明の表示装置は、前記画像表示部が、前記添付画像の表示を行う際に、前記メール受信部により受信した電子メールに含まれる文字情報を示す文字画像と前記添付画像とを重ねあわせて前記表示部に表示することを特徴としている。
【００１５】
この構成によると、画像表示部は、電子メールに含まれる文字情報を示す文字画像、例えば題名や本文等を示す文字画像と、電子メールに添付されている添付画像、例えば写真画像等とを、重ねあわせて表示部に表示する。
【００１６】
また上記目的を達成するために本発明の表示装置は、前記画像表示部が、前記添付画像の表示を行う際に、前記メール受信部により受信した電子メールに関する情報を示す文字画像と前記添付画像とを重ねあわせて前記表示部に表示することを特徴としている。
【００１７】
この構成によると、画像表示部は、電子メールに関する情報、例えばメール受信日時やメールサイズ等を示す文字画像と、電子メールに添付されている添付画像、例えば写真画像等とを、重ねあわせて表示部に表示する。
【００１８】
また上記目的を達成するために本発明の表示装置は、記録部と、前記添付画像の表示を行う電子メールの条件を受け付けて前記記録部に記録する条件登録部とを備え、前記表示制御部が、前記メール受信部により受信した電子メールが前記記録部に記録されている前記条件を満たすか否かを判定し、満たす場合に、前記電子メールに添付されている添付画像を表示するように前記画像表示部に対して指示することを特徴としている。
【００１９】
この構成によると、本発明の表示装置は、メモリ等の記録部と、添付画像の表示を行う電子メールの条件を操作部等により受け付け、記録部に記録する条件登録部とを備えている。表示制御部は、電子メールの受信が検知されると、記録部に記録されている条件を読み出し、受信メールが条件を満たすか否かを判定する。そして満たす場合のみ、受信メールに添付されている添付画像を表示するように画像表示部に対して指示する。
【００２０】
また上記目的を達成するために本発明の表示装置は、前記条件登録部が、メールアドレスを前記条件として受け付けて前記記録部に記録し、前記表示制御部が、前記メール受信部により受信した電子メールのヘッダに含まれる送信元アドレスと、前記条件登録部が受け付けて前記記録部に記録したメールアドレスとが一致するか否かを判定し、一致する場合に、前記電子メールに添付されている添付画像を表示するように前記画像表示部に対して指示することを特徴としている。
【００２１】
この構成によると、条件登録部は、添付画像の表示を行う受信メールの条件としてメールアドレスの指定を受け付け、指定されたメールアドレスを記録部に記録する。表示制御部は、電子メールを受信すると、記録部に記録されている指定アドレスを読み出し、受信メールの送信元アドレスが指定アドレスと一致するか否かを判定する。そして一致する場合のみ、受信メールに添付されている添付画像を表示するように画像表示部に対して指示する。
【００２２】
また上記目的を達成するために本発明の表示装置は、前記表示装置に対する照度を測定する照度センサを備え、前記表示制御部が、前記照度センサにより取得された照度が予め定められた値を下回るか否かを判定し、下回る場合に、前記画像表示部に対して前記添付画像の表示を禁止することを特徴としている。
【００２３】
この構成によると、本発明の表示装置は、表示装置周辺の照度を測定する照度センサを備えている。表示制御部は、常に照度センサにより得られる照度を監視する。そして照度が所定値を下回った場合に、画像表示部に対して添付画像の表示を禁止する。
【００２４】
また上記目的を達成するために本発明の表示装置は、時刻を計時する計時部を備え、前記表示制御部が、前記計時部により取得された時刻が予め定められた条件を満たすか否かを判定し、満たす場合に、前記画像表示部に対して前記添付画像の表示を禁止することを特徴としている。
【００２５】
この構成によると、本発明の表示装置は、時刻の計時を行う計時部を備えている。表示制御部は、常に計時部より得られる現在時刻を監視する。そして現在時刻が、予め定められた条件、例えば現在時刻が夜の２３時から朝の６時までの時間内である等の条件を満たすか否かを判定する。条件を満たす場合、画像表示部に対して添付画像の表示を禁止する。
【発明の効果】
【００２６】
本発明によれば、受信メールに添付されている添付画像が複数存在する場合に、所定の時間間隔で切り替えながら表示する。このためユーザは、特に操作を必要とすることなく、全ての添付画像の内容を容易に確認することができる。
【００２７】
また本発明によれば、電子メールが受信された時点で、複数の添付画像を所定の時間間隔で切り替えながら表示する。このためユーザは、電子メールが受信されてすぐに、複数の添付画像の内容を確認することができる。
【００２８】
また本発明によれば、メール受信部により電子メールが受信され、且つ操作部による操作が検知された時点で、複数の添付画像を所定の時間間隔で切り替えながら表示する。このため、ユーザが表示装置の近傍に存在しない状態において画像表示するといった、無駄な表示処理が発生するのを回避できる。
【００２９】
また本発明によれば、電子メールに含まれる文字情報と、電子メールに添付されている複数の添付画像とを重ねあわせて表示部に表示する。このためユーザは、上記二つの情報を同時に視認することができるため、情報確認にかかる時間を短縮することができる。
【００３０】
また本発明によれば、電子メールに関連する情報と、電子メールに添付されている複数の添付画像とを重ねあわせて表示部に表示する。このためユーザは、上記二つの情報を同時に視認することができるため、情報確認にかかる時間を短縮することができる。
【００３１】
また本発明によれば、予め記録部に記録されている条件を受信メールが満たす場合のみ、受信メールに添付されている添付画像を表示する。このため例えば、スパムメールを除外するための条件設定を予め行っておくことにより、スパムメールに画像ファイルが添付されていたとしても表示を行わないため、不要な表示処理を回避することができる。
【００３２】
また本発明によれば、上記条件として、メールアドレスを用いる。即ち、受信メールの送信元アドレスが、条件に設定されたアドレスと一致する場合のみ、受信メールに添付されている添付画像を表示する。このためユーザは、添付画像の表示を行う電子メールの指定を、容易に行うことができる。
【００３３】
また本発明によれば、照度センサにより得られた照度が所定値を下回った場合に、画像表示部に対して画像の表示を禁止する。このため、例えば室内が消灯されている場合等、ユーザが表示装置の近傍に存在しない確率が高い場合において、不要な表示処理を回避することができる。
【００３４】
また本発明によれば、現在時刻が、予め定められた条件を満たす場合に、画像表示部に対して添付画像の表示を禁止する。このため例えば、ユーザの就寝時間のように、ユーザが表示装置を閲覧しない時間帯において、不要な表示処理を回避することができる。
【発明を実施するための最良の形態】
【００３５】
以下に本発明の実施形態を、図面を参照しながら説明する。なお、ここで示す実施形態は一例であり、本発明はここに示す実施形態に限定されるものではない。
【００３６】
［実施の形態１］
〈１−１．内部構成について〉
図２は、本発明の第一の実施形態に係る電子式フォトフレーム１（＝表示装置）の内部構成示すブロック図である。電子式フォトフレーム１は少なくとも、制御部１１、メモリ１２、操作部１３、タッチパネル１４（＝表示部）、通信Ｉ／Ｆ（Interface）部１５（＝通信部）、通信制御部１６（＝通信部）、電源部１７、メモリスロット１８、データ入出力部１９、フラッシュメモリ２０（＝記録部）、照度センサ２１、及び時計回路２２（＝計時部）を含むように構成されている。またメモリスロット１８に対して外部記録媒体であるメモリカード９０を着脱可能である。
【００３７】
制御部１１は、電子式フォトフレーム１に含まれる各装置の制御を行う。これにより、フラッシュメモリ２０に記録されている画像や、外部より入力した画像の表示処理等を統括制御する。制御部１１は、例えば複数のマイクロプロセッサから構成されている。また制御部１１は、データの計算、加工処理等を行う中枢部分となっている。なお、制御部１１が備える各機能部（図１に示すメール受信部１１ａ〜表示制御部１１ｄ）の詳細については後述する。
【００３８】
メモリ１２は、電子式フォトフレーム１が保持する各種データを一時的に記録する媒体であり、例えば書込可能なＲＡＭ（Ｒａｎｄｏｍ  Ａｃｃｅｓｓ  Ｍｅｍｏｒｙ）等により構成されている。メモリ１２は制御部１１によって各種処理が行われる際の処理データや、使用者から受けた指示命令等を一時的に記録しておくためのバッファメモリとしての役割を持つ。
【００３９】
操作部１３は、ユーザが電子式フォトフレーム１に対して、画像の切り替え指示やユーザ情報の入力指示等の各種指示を行うためのものである。操作部１３により入力された指示は制御部１１により受け付けられ、指示の内容に基づいて各種制御処理が行われる。操作部１３は例えば、複数の操作ボタンやスイッチ等から構成される。
【００４０】
タッチパネル１４は、ユーザによる接触操作により、電子式フォトフレーム１に対する各種指示を受け付ける。タッチパネル１４は、フラッシュメモリ２０等の記録媒体に記録されている画像を表示するＬＣＤ（Liquid Crystal Display）を備えている。またタッチパネル１４は、ソフトウェアキーボードやアイコン等をＬＣＤに表示することにより、文字情報の入力等を受け付けることが可能である。
【００４１】
通信Ｉ／Ｆ部１５は、電子式フォトフレーム１を通信ネットワークと接続するための物理的なインタフェースである。通信Ｉ／Ｆ部１５は例えば、ＩＥＥＥ８０２．３規格に準拠した有線ＬＡＮに接続するためのＬＡＮケーブルコネクタや、ＩＥＥＥ８０２．１１規格に準拠した無線ＬＡＮに接続するための無線アンテナ等を含むように構成されている。なお、電話通信網に接続するためのアナログ接続端子やＩＳＤＮ通信網に接続するためのＩＳＤＮ接続端子を備える形態であってもよい。
【００４２】
通信制御部１６は、通信Ｉ／Ｆ部１５により接続された外部装置、例えばメールサーバや情報配信サーバ等と相互通信を行うための通信制御を行う。これにより、電子メールの送受信を行ったり、各種情報コンテンツを取得したりすることが可能である。また通信Ｉ／Ｆ部１５が無線アンテナを備える場合、無線通信網を介する無線通信の制御を行う役割も持つ。
【００４３】
電源部１７は、外部電源（不図示）より電力の供給を受け、電子式フォトフレーム１の各部に対して電源電圧を与える。電源部１７は、外部電源より電力供給を受けるための電源コードを接続する接続端子（図５に示す電源コード接続端子１７ａ）を備えている。この接続端子は、電子式フォトフレーム１の背面側等に設けられている。
【００４４】
或いは電源部１７は、電源として乾電池或いは二次電池を使用することにより、外部電源から切り離された状態で電子式フォトフレーム１の駆動を可能とする形態であってもよい。二次電池としては例えば、充電式アルカリ電池やリチウムイオンバッテリ等を用いることが可能である。
【００４５】
メモリスロット１８は、ＳＤメモリカード９０等の外部記録媒体を接続して情報の伝送を行うインタフェースである。ＳＤメモリカード９０には例えば、デジタルカメラで撮影した静止画や動画が記録されている。メモリスロット１８は制御部１１からの指示により、これらのデータをフラッシュメモリ２０にコピーする。これにより、外部から入力した画像をタッチパネル１４に表示することが可能である。
【００４６】
データ入出力部１９は、外部の撮像装置や記録装置を有線或いは無線により接続して画像データの入力を行うための入力インタフェースである。データ入出力部１９は例えば、シリアルケーブル接続用ソケットや、赤外線通信を行うためのＩｒＤＡポート１９ａ（図３）、或いはＵＳＢ接続端子（不図示）等を含むように構成されている。
【００４７】
フラッシュメモリ２０は、電子式フォトフレーム１が保持する各種データを記録する不揮発性の記録媒体である。フラッシュメモリ２０は例えば、通信Ｉ／Ｆ部１５により受信した電子メールデータや、データ入出力部１９より入力された画像データ等を記録する。また、電子式フォトフレーム１の設定データや、メールアドレス等の個人データを含むユーザデータを記録する役割を持つ。
【００４８】
照度センサ２１は、例えば光学フィルタを内蔵したフォトトランジスタ等を用いて、電子式フォトフレーム１の周囲に存在する白熱電球や蛍光灯、太陽光といった各種発光源から受ける光の照度を検出する。検出された照度に関する情報は、後述する表示制御部１１ｄに与えられる。
【００４９】
時計回路２２は、現在時刻を計時するための回路であり、例えば所定の周波数による発振出力を行う水晶振動子を用いて計時を行う。また時計回路２２は、時刻情報だけではなく、現在の月日や曜日といった暦に関連する暦情報の管理を行うことも可能である。
〈１−２．機能部の構成について〉
ここで、本発明の第一の実施形態に係る電子式フォトフレーム１の画像表示処理を実施するための各機能部の関係を、図１の機能ブロック図を用いながら説明する。
【００５０】
図１に示すように本発明の画像表示処理は少なくとも、制御部１１が備えるメール受信部１１ａ、メール解析部１１ｂ、画像表示部１１ｃ、及び表示制御部１１ｄと、タッチパネル１４と、通信制御部１６と、フラッシュメモリ２０とにより実現される。
【００５１】
メール受信部１１ａは、ＩＰ通信網に接続されたメールサーバと、通信Ｉ／Ｆ部１５及び通信制御部１６を用いて通信を行う。これにより電子メールの受信を行うメールクライアント機能を備えている。メール受信部１１ａは例えば、電子メールの受信サービスを提供するＰＯＰ（Post Office Protocol）サーバと通信を行うことにより、電子メールの受信を行う。或いは、通信事業者が提供する特定のサービス、例えば携帯電話サービスやＬモードサービス等を利用することにより、携帯電話用無線回線や一般電話回線を介して電子メールの受信を行う形態であってもよい。
【００５２】
メール解析部１１ｂは、メール受信部１１ａにより電子メールの受信が行われた際に、受信メールのヘッダ解析等の解析処理を行う。そして電子メールに添付ファイルが添付されているか否かを判定する。添付されている場合、添付ファイルが画像ファイルであり、且つ画像表示部１１ｃが再生可能なデータ形式及びデータサイズであるか否かを判定する。再生可能である場合、添付されている画像データ（以下、「添付画像」という）を画像表示部１１ｃに与える。また、一つの受信メールに複数の添付画像が添付されている場合、表示可能な添付画像の数を、表示制御部１１ｄに与える。
【００５３】
画像表示部１１ｃは、メール解析部１１ｂから与えられた添付画像や、メール本文を示す文字情報等から生成した文字画像を、タッチパネル１４に表示する。この結果、例えば図１１に示す画面が表示される。なおここでいう画像とは、静止画の他に動画も含む。
【００５４】
表示制御部１１ｄは、メール解析部１１ｂから与えられた添付画像の数に基づき、画像表示部１１ｃの制御を行う。表示可能な添付画像の数が一つの場合は、通常と同じ表示処理を指示する。表示可能な添付画像の数が複数の場合、複数の添付画像を予め定められた時間間隔で切り替えながら表示を行うよう、画像表示部１１ｃに指示する。
【００５５】
例えば画像Ａ、画像Ｂ、画像Ｃの三つの添付画像が存在し、且つ画像の切り替えを行う時間間隔が五秒毎と定められているとする。この場合、まず画像Ａを五秒表示した後、画像Ｂを五秒表示する。次に画像Ｃを五秒表示した後、さらに画像Ａを五秒表示する。また併せて、添付画像の上に文字画像の重畳表示が行われる。なお文字画像の表示が終了した時点で、添付画像の切り替え表示も停止される。
【００５６】
また表示制御部１１ｄはメール解析部１１ｂより電子メールに含まれる各種情報を取得し、各種情報を示す文字画像をタッチパネル１４に表示するように、画像表示部１１ｃに指示する。各種情報の一例としては、例えばメール本文、メールヘッダに含まれる題名、送信元アドレス、送信日時、及び送信者名等が挙げられる。
【００５７】
また表示制御部１１ｄは、電子メールを受信した受信日時や受信メールサイズのように、電子メールに関する関連情報を示す文字画像をタッチパネル１４に表示するように、画像表示部１１ｃに指示する形態でもよい。
【００５８】
図１１は、表示制御部１１ｄにより写真画像及び文字画像が表示されたタッチパネル１４の一例を示した画面図である。図１１の例では、タッチパネル１４の全面に写真画像５１が表示され、その上に文字画像表示領域５２が重畳表示されている。文字画像表示領域５２は、各種情報を示す文字画像をスクロール表示することが可能であり、図１１の例では題名、及び本文の一部を示す文字画像が表示されている。
〈１−３．電子式フォトフレームの外観について〉
ここで、本発明の第一の実施形態に係る電子式フォトフレーム１の外観を、図３の正面図、図４の上面図、及び図５の背面図を用いながら説明する。
【００５９】
図３は、電子式フォトフレーム１の前面に備えられた各装置部の一例を示したブロック図である。図３に示すように電子式フォトフレーム１の前面は、タッチパネル１４及びＩｒＤＡポート１９ａを含むように構成されている。また図４は、電子式フォトフレーム１の上面に備えられた各装置部の一例を示したブロック図である。図４に示すように電子式フォトフレーム１の上面は、メモリスロット１８を備えている。
【００６０】
図５は、電子式フォトフレーム１の背面に備えられた各装置部の一例を示したブロック図である。図５に示すように電子式フォトフレーム１の背面は、通信Ｉ／Ｆ部１５が備えるＬＡＮコネクタ１５ａ、電源部１７が備える電源コード接続端子１７ａ、及び支持用脚部３１を備えている。ＬＡＮコネクタ１５ａはＬＡＮケーブルを接続することにより、電子式フォトフレーム１をネットワークに接続するための接続端子である。電源コード接続端子１７ａは電源コード（不図示）を取り付けて商用電源から電力の供給を受けるためのものである。
【００６１】
支持用脚部３１は、電子式フォトフレーム１に回動自在に設けられ、電子式フォトフレーム１を背後から支持するための部材である。支持用脚部３１は、電子式フォトフレーム１の表面の傾斜を急にしたり、または緩やかにしたり、適宜調節可能な構成をしている。また支持用脚部３１は回動することにより、電子式フォトフレーム１の上下の向きを変更することが可能である。
〈１−４．添付画像表示処理について〉
ここで、本発明の第一の実施形態に係る電子式フォトフレーム１の添付画像表示処理を、図１〜図５のブロック図と図６のフロー図とを用いながら説明する。
【００６２】
図６は、本発明に係る添付画像表示処理の処理フローを示したフローチャートである。本処理は、電子式フォトフレーム１の電源が起動され、且つ通信制御部１６による通信が可能である状態において、任意のタイミングで開始可能である。
【００６３】
本処理の開始後、メール受信部１１ａはステップＳ１１０において、通信制御部１６により外部のＰＯＰサーバ（不図示）から電子メールを取得可能であるか否かを判定する。なお電子メールの取得は、例えばメール受信部１１ａが定期的にＰＯＰリクエストをＰＯＰサーバに対して送信することにより行われる。
【００６４】
電子メールを受信不可である場合、つまりＰＯＰサーバに受信可能な電子メールが存在しない場合、後述するステップＳ１９０に移行する。電子メールを受信可能である場合、メール受信部１１ａはメール受信処理を実施する。
【００６５】
次にメール解析部１１ｂはステップＳ１２０において、メール受信部１１ａが受信した電子メールの解析を行う。なおこの際、スピーカ（不図示）により、電子メールの受信を報知する報知音を出力してもよい。
【００６６】
解析の結果に基づき、メール解析部１１ｂはステップＳ１３０において、受信メールに再生可能な画像データが添付されているか否かを判定する。再生可能画像が添付されていない場合、表示処理を行う必要がないため、後述するステップＳ１９０に移行する。再生可能画像が添付されている場合、メール解析部１１ｂはステップＳ１４０において、受信メールに添付されている再生可能画像が複数であるか否かの判定を行う。
【００６７】
なお、ここでいう複数とは、一電子メールに対して複数の画像が添付されている場合に限るものではない。例えば、一回の受信処理で受信した複数のメールに、一つずつ画像が添付されている場合のように、結果として未閲覧状態の添付画像が複数存在する場合も、複数とみなすことができる。
【００６８】
複数ではない場合、つまり一画像のみが添付されている場合、ステップＳ１５１に移行する。表示制御部１１ｄはステップＳ１５１において、受信メールに添付されている画像と、受信メールに含まれる文字情報を示す画像、例えば題名、受信日時、送信者、または本文等を示す文字画像とを、タッチパネル１４に重畳表示するように、画像表示部１１ｃに指示する。この結果、例えば図１１に示すような画面がタッチパネル１４に表示に表示される。
【００６９】
なおこの際、文字情報の情報量が多く、全ての文字画像を一度に表示できない場合は、文字情報を複数に分割し、スクロール表示や切替表示等により順に表示する表示方法（以下、「順次表示」という）を行う。また重畳表示を行う際に、文字画像（図１１の文字画像表示領域５２）と添付画像（図１１の写真画像５１）とが階層的に表示されるが、文字画像が添付画像よりも上位層となるように表示制御を行う。
【００７０】
次に表示制御部１１ｄはステップＳ１６１において、順次表示される文字画像の表示が全て完了したか否かを判定する。完了していない場合、再びステップＳ１５１に移行し、添付画像の表示及び文字画像の順次表示を行う。完了した場合、後述するステップＳ１８０に移行する。
【００７１】
ステップＳ１４０に戻って説明を行うと、ステップＳ１４０において再生可能画像が複数存在すると判定された場合、ステップＳ１５０に移行する。表示制御部１１ｄはステップＳ１５０において、複数の添付画像の切替表示と、受信メールに含まれる文字情報の順次表示とを行うように、画像表示部１１ｃに対して指示する。
【００７２】
次に表示制御部１１ｄはステップＳ１６０において、添付画像の切替表示が一ループ完了したか否かを判定する。具体的には例えば、添付画像として画像Ａ、画像Ｂ、画像Ｃの三画像が存在し、表示を切り替える時間間隔が五秒であるとする。この場合、画像Ａが五秒、画像Ｂが五秒、画像Ｃが五秒表示され、再び画像Ａの表示に移行した段階で（つまり計十五秒が経過した時点）で、一ループが完了したとみなす。
【００７３】
一ループが完了していない場合、ステップＳ１５０に移行し、添付画像及び文字画像の表示を継続して行う。一ループが完了している場合、添付画像のループ表示を継続するとともに、ステップＳ１７０に移行する。
【００７４】
次に表示制御部１１ｄはステップＳ１７０において、文字画像の順次表示が完了したか否かを判定する。具体的には例えば、文字画像として題名、受信日時、送信者、及び本文が順に表示される形態である場合、本文の表示が末尾まで完了した時点で、順次表示が完了したとみなす。
【００７５】
順次表示が完了していない場合、ステップＳ１５０に移行し、添付画像及び文字画像の表示を継続して行う。順次表示が完了した場合、表示制御部１１ｄはステップＳ１８０において、文字画像及び添付画像の表示を停止するように、画像表示部１１ｃに対して指示する。
【００７６】
この結果、例えばメール受信時においてタッチパネル１４に画像が表示されていなかった場合、再び非表示状態となる。また例えば、メール受信時において添付画像以外の画像表示が行われていた場合、表示中であった画像を再び表示する。また例えば、メール受信時において複数画像のスライドショー表示が行われていた場合は、表示を中断した画像から再びスライドショー表示を開始する。
【００７７】
次に表示制御部１１ｄはステップＳ１９０において、操作部１３によるユーザ操作を検知したか否かの判定を行う。検知していない場合、ステップＳ１１０に移行する。検知した場合、表示制御部１１ｄはステップＳ２００において、未閲覧メールがフラッシュメモリ２０に記録されているか否かを判定する。なお未閲覧メールとは、受信済みではあるが、ユーザがその一部または全部の閲覧を行っていない状態の電子メールを指すものとする。
【００７８】
未閲覧メールが記録されていない場合、ステップＳ１１０に移行する。未閲覧メールが記録されている場合、表示制御部１１ｄはステップＳ２１０において、未閲覧メールが存在することを示す通知画像を表示するように、画像表示部１１ｃに指示する。この結果、例えば「新着メールがあります」等の文字画像が、タッチパネル１４に表示される。この表示が行われてから所定時間が経過すると、ステップＳ１１０に移行する。
【００７９】
なお以上に説明した本処理は、例えば電子式フォトフレーム１の主電源が停止される等により機能停止するタイミングにおいて、終了する。或いは、ユーザが設定画面等を用いて、任意のタイミングで終了可能とする形態でもよい。
【００８０】
以上に説明した本実施形態によれば、メール受信部１１ａにより受信された電子メールに添付されている添付画像を、ユーザ操作を必要とすることなく、且つ所定の時間間隔で切り替えながら表示できる。このため、一つの受信メールに複数の画像ファイルが添付されている場合において、ユーザは複数の添付画像の内容を容易に確認することができる。
【００８１】
また、電子メールが受信された時点で添付画像の表示を行うため、ユーザは添付画像の内容を迅速に確認することができる。さらに、電子メールに含まれる文字情報や、電子メールに関連する関連情報を、添付画像に重畳して表示するため、ユーザはこれらの情報を確認しながら添付画像を閲覧することができる。
［実施の形態２］
〈２−１．内部構成について〉
実施の形態１と同内容であるため、ここでは説明を省略する。
〈２−２．機能部の構成について〉
ここで、本発明の第二の実施形態に係る電子式フォトフレーム１の添付画像表示処理を実施するための各機能部の関係を、図７の機能ブロック図を用いながら説明する。
【００８２】
本実施形態の制御部１１は実施の形態１のメール受信部１１ａ〜表示制御部１１ｄに加え、条件登録部１１ｅを備えている。また、表示制御部１１ｄの機能が実施の形態１と一部異なる。
【００８３】
本実施形態の表示制御部１１ｄは、電子メールの受信後、操作部１３によるユーザ操作を検知した段階で、添付画像の表示処理を行う。また、画像が添付された電子メールが、予め定められた条件に一致するか否かを判定し、一致する電子メールに関してのみ、添付画像の表示処理を行う。
【００８４】
条件登録部１１ｅは、上記の表示制御部１１ｄが添付画像を表示する条件の登録を、操作部１３を用いたユーザ操作等により受け付ける。登録可能な条件としては、例えば電子メールの送信元アドレスを用いる。この場合、設定画面等においてユーザから条件登録指示を受けた条件登録部１１ｅは、電子メール登録画面を表示し、この画面で入力されたメールアドレスを表示対象メールアドレスとして登録する。
【００８５】
この結果、表示制御部１１ｄは、画像の添付された電子メールを受信した際に、その電子メールの送信元アドレスが上記の表示対象メールアドレスと一致するか否かを判定する。そして一致する場合にのみ、添付画像の表示処理を行う。なお、登録可能な条件は送信元アドレスに限定されるものではなく、例えば添付画像のデータサイズや画像フォーマット等を、条件として登録する形態でもよい。
〈２−３．電子式フォトフレームの外観について〉
実施の形態１と同内容であるため、ここでは説明を省略する。
〈２−４．添付画像表示処理について〉
ここで、本発明の第二の実施形態に係る電子式フォトフレーム１の添付画像表示処理を、図７のブロック図と、図８のフロー図とを用いながら説明する。なお、実施の形態１と同内容の処理については、同じステップ番号を付加することにより説明を省略するものとする。
【００８６】
ステップＳ１２０の後、表示制御部１１ｄはステップＳ１２１において、操作部１３またはタッチパネル１４等によるユーザ操作を検知したか否かの判定を行う。ユーザ操作を検知していない場合、ステップＳ１１０に移行する。ユーザ操作を検知した場合、表示制御部１１ｄはステップＳ１２２において、条件登録部１１ｅにより登録されて条件を満たす未閲覧メールが存在するか否かを判定する。
【００８７】
具体的には、予め条件登録部１１ｅによりフラッシュメモリ２０に記録されている条件を読み出す。例えば条件が送信元アドレスである場合、表示制御部１１ｄは、登録されているメールアドレスを読み出す。そして受信メールの送信元アドレスと、読み出したメールアドレスとを比較し、一致するか否かを判定する。
【００８８】
一致する受信メールが存在しない場合、ステップＳ１１０に移行する。一致する受信メールが存在する場合、該当受信メールの添付画像の表示を、ステップＳ１３０〜ステップＳ１８０により実施する。なお、一致しない受信メールに関しては、例え表示可能な添付画像が添付されていたとしても、表示処理は行わない。
【００８９】
以上に説明した本実施形態によれば、予めフラッシュメモリ２０に記録されている条件を満たす電子メールのみ、添付画像を表示する。このため、スパムメールのように添付画像を表示する必要のない電子メールを受信した場合に、不要な表示処理を回避することができる。またユーザは、添付画像の表示を行う電子メールの条件を、容易に指定することができる。
【００９０】
また本実施形態によれば、操作部１３によるユーザ操作が検知された時点で画像表示を行うため、例えばユーザが電子式フォトフレーム１の近傍に存在しない状態において添付画像を表示するといった、不要な表示処理が発生するのを回避できる。
［実施の形態３］
〈３−１．内部構成について〉
実施の形態１と同内容であるため、ここでは説明を省略する。
〈３−２．機能部の構成について〉
ここで、本発明の第三の実施形態に係る電子式フォトフレーム１の添付画像表示処理を実施するための各機能部の関係を、図９の機能ブロック図を用いながら説明する。
【００９１】
本実施形態の制御部１１は実施の形態１のメール受信部１１ａ〜表示制御部１１ｄと同様の構成であるが、表示制御部１１ｄの機能が実施の形態１と一部異なる。本実施形態の表示制御部１１ｄは、メール受信部１１ａによる電子メールの受信後、照度センサ２１を用いて電子式フォトフレーム１に対する照度の大きさを測定する。そして測定された照度が、予め定められた所定値を超えるか否かを判定する。そして所定値を超える場合にのみ、添付画像の表示処理を行う。
〈３−３．電子式フォトフレームの外観について〉
実施の形態１と同内容であるため、ここでは説明を省略する。
〈３−４．添付画像表示処理について〉
ここで、本発明の第三の実施形態に係る電子式フォトフレーム１の添付画像表示処理を、図９のブロック図と、図１０のフロー図とを用いながら説明する。なお、実施の形態１と同内容の処理については、同じステップ番号を付加することにより説明を省略するものとする。
【００９２】
ステップＳ１２０の後、表示制御部１１ｄはステップＳ１２５において、照度センサ２１により測定された照度が所定値を超えるか否かを判定する。所定値を超えない場合、ステップＳ１９０に移行する。所定値を超える場合、受信メールの添付画像の表示を、ステップＳ１３０〜ステップＳ１８０により実施する。
【００９３】
以上に説明した本実施形態によれば、電子式フォトフレーム１の周辺の照度が所定値を下回る場合に、表示制御部１１ｄが画像表示部１１ｃに対して画像の表示を禁止する。このため、例えば就寝時に消灯された寝室のように、ユーザが表示装置を閲覧する確率が低い場所、及び状況において、不要な表示処理を回避することができる。
［その他の実施の形態］
以上、好ましい実施の形態及び実施例を挙げて本発明を説明したが、本発明は必ずしも上記実施の形態に限定されるものではなく、その技術的思想の範囲内において様々に変形して実施することができる。
【００９４】
従って本発明は、以下の形態にも適用可能である。
【００９５】
（Ａ）上記実施形態では、受信メールの添付画像表示処理に関わる各種機能部が、マイクロプロセッサ等の演算処理装置上でプログラムを実行することにより実現されているが、各種機能部が複数の回路により実現される形態でもよい。
【００９６】
（Ｂ）上記実施形態では、添付画像表示処理を実施する表示装置として電子式フォトフレーム１を例として説明しているが、メール受信機能を備えた表示装置であれば、これ以外の装置において本発明を実施することが可能である。例えば、携帯電話、ＰＤＡ、カーナビ、テレビジョン装置等において実施する形態であってもよい。
【００９７】
（Ｃ）上記実施形態では、表示制御部１１ｄにより表示される文字情報の一例として、題名、受信日時、送信者、及び本文を例に説明を行っているが、電子メールに含まれるこれら以外の文字情報、例えば添付ファイル名等を表示する形態でもよい。また、受信メールに含まれている文字情報だけではなく、受信メールに関連する情報を表示する形態でもよい。例えば、受信メールのメールアドレスに関連付けられてアドレス帳に登録されている氏名や、電子メールのメールサイズ等を示す文字情報を表示する形態でもよい。
【００９８】
（Ｄ）上記第三の実施形態では、表示制御部１１ｄが添付画像を表示するか否かを判定する手段として照度センサ２１を例に説明しているが、これ以外の手段により、判定を行う形態でもよい。例えば、人体センサ、移動体センサ、赤外線センサ等により人体が検知されている場合にのみ、表示処理を行う形態でもよい。或いは、時計回路２２を使用して、予め定められた時刻のみ、表示処理を行う形態でもよい。また或いは、上述の複数の条件を同時に満たす場合、例えば照度センサにより灯りが検知され、且つ人体センサにより人体が検知された場合にのみ表示処理を行う形態でもよい。
【００９９】
（Ｅ）上記実施形態では、表示制御部１１ｄが表示制御する添付画像として静止画を例に説明を行っているが、受信メールに動画が添付されている場合も、本発明を適応することが可能である。この場合、図１１の写真画像５１に変わり添付動画が再生表示され、その上に文字画像表示領域５２が重畳表示され、文字画像のスクロール表示が繰り返し行われる。なお静止画の再生時と同様、文字画像のスクロール表示が完了するまで、動画は繰り返し再生される。
【０１００】
（Ｆ）上記に関連して、添付動画の自動再生を実施し、且つ添付動画の再生時間が所定時間を超える場合に、再生中であっても次の動画の再生へ切り替える形態でもよい。また、動画と静止画が混在している場合に、動画と静止画とを交互に再生する形態でもよい。例えば再生時間が三十秒の動画Ａと静止画Ｂとが添付されており、表示切り替えを行うタイミングが五秒毎であったとする。この場合、動画Ａの冒頭部分を五秒間再生した後、静止画Ｂを五秒間表示する。この時点で文字情報の表示が完了していない場合、動画Ａの冒頭部分を再度五秒間再生する。これにより、動画と静止画が混在する場合でも、その両方の内容をユーザが確認することができる。
【図面の簡単な説明】
【０１０１】
【図１】第一の実施形態に係る表示装置が備える機能部の構成を示す機能ブロック図である。
【図２】本発明の表示装置の内部構成を示すブロック図である。
【図３】本発明の表示装置の外観を示す前面図である。
【図４】本発明の表示装置の外観を示す上面図である。
【図５】本発明の表示装置の外観を示す背面図である。
【図６】第一の実施形態に係る添付画像表示処理の処理フローを示すフロー図である。
【図７】第二の実施形態に係る表示装置が備える機能部の構成を示す機能ブロック図である。
【図８】第二の実施形態に係る添付画像表示処理の処理フローを示すフロー図である。
【図９】第三の実施形態に係る表示装置が備える機能部の構成を示す機能ブロック図で
【図１０】第三の実施形態に係る添付画像表示処理の処理フローを示すフロー図である。
【図１１】本発明の表示装置に表示される画面の一例を示す画面図である。
【符号の説明】
【０１０２】
１      電子式フォトフレーム（表示装置）
１１    制御部
１１ａ  メール受信部
１１ｂ  メール解析部
１１ｃ  画像表示部
１１ｄ  表示制御部
１１ｅ  条件登録部
１３    操作部
１４    タッチパネル（表示部、操作部）
１５    通信Ｉ／Ｆ部（通信部）
１６    通信制御部（通信部）
２０    フラッシュメモリ（記録部）
２１    照度センサ
２２    時計回路（計時部）
【図１】
2010061246.tif 000003
【図２】
2010061246.tif 000004
【図３】
2010061246.tif 000005
【図４】
2010061246.tif 000006
【図５】
2010061246.tif 000007
【図６】
2010061246.tif 000008
【図７】
2010061246.tif 000009
【図８】
2010061246.tif 000010
【図９】
2010061246.tif 000011
【図１０】
2010061246.tif 000012
【図１１】
2010061246.tif 000013